(57)【要約】【課題】被結束物に結束テープを掛け回した後に引き戻し、その弛みをとって結束する。【解決手段】結束機本体の支軸２０に、クリンチャアーム２の閉じ作動に応動するテンションアーム２１とテンションアーム２１の回動を規制するブロックレバー２２とを回動自在に設け、テンションアーム２１には、クリンチャアーム２に連結された作動アーム２３の端部係合軸３７に係合可能な係合部２７を形成し、ブロックレバー２２には、作動アーム２３の係合軸３７が係合部２７に係合するのを阻止するブロック部を形成し、被結束物に掛け回した際に引き出された結束テープＴの張力でブロックレバー２２を回動させてブロック部が係合部２７の外に退避移動することにより、テンションアーム２１の係合軸３７が係合部２７に係合し、クリンチャアーム２が閉じ作動したときに作動アーム２３によってテンションアーム２１を回動させることで結束テープＴを引き戻すようにした。【選択図】図１
2010051248.tif 000002
【特許請求の範囲】
【請求項１】
結束機本体のテープリール収納部に収納されたテープリールに巻き回された結束テープを引き出して上記結束機本体と上記結束機本体に対して開き作動したクリンチャアームの各先端間に張架し、上記結束機本体と上記クリンチャアームとの間に形成された被結束物取り込み用空間部に被結束物を取り込んで上記結束テープを上記被結束物に掛け回した後に上記クリンチャアームを閉じ作動させて引き戻し機構により上記結束テープの弛みを引き戻し、さらに上記結束テープの重なり合った部分をステープル留めし、上記結束テープをカッター刃により切断する園芸用結束機において、
上記引き戻し機構は、上記結束機本体に設けた支軸に、上記クリンチャアームの閉じ作動に応動して結束テープを引き戻し可能なテンションアームと、上記テンションアームの回動を規制するブロックレバーとを回動自在に設け、上記テンションアームと上記ブロックレバーの各一端に上記結束テープを懸架し、
上記テンションアームには、上記クリンチャアームに連結された作動アームの端部の係合軸に係合可能な係合部を形成し、上記ブロックレバーには、上記作動アームの係合軸が上記係合部に係合するのを阻止するブロック部を形成し、
上記結束テープを上記被結束物に掛け回した際に引き出された結束テープの張力によって上記ブロックレバーを回動させて上記ブロック部が上記係合部の外に退避移動することにより、上記テンションアームの係合軸が上記係合部に係合し、上記クリンチャアームが閉じ作動したときに上記作動アームによって上記テンションアームを回動させることで上記結束テープを引き戻すようにした
ことを特徴とする園芸用結束機。
【請求項２】
上記テンションアームの中間部には、上記作動アームの端部の係合軸を摺動自在に案内するガイド溝を形成し、ガイド溝の一端には上記係合部を屈曲形成し、上記ブロックレバーのブロック部が、上記ガイド溝の係合部位置にあるときは上記作動アームの係合軸に係合して該係合軸が係合部に係合するのを阻止させることを特徴とする、請求項１に記載の園芸用結束機。
【請求項３】
上記結束機本体には、上記テンションアームの引き戻し方向の回動と連動して、上記テープリールから上記結束テープが引き出されるのを防止するテープ引き出し防止手段が設けられていることを特徴とする、請求項１又は２に記載の園芸用結束機。
【請求項４】
上記結束機本体には、上記ブロックレバーを上記テンションアームの係合軸が上記係合部に係合するのを阻止する方向に回動するように付勢する第１の弾性部材と、上記テンションアームを上記係合軸が上記係合部に係合する方向に回動するように付勢する第２の弾性部材とが設けられ、第１の弾性部材よりも第２の弾性部材の付勢力の方を小さくした
ことを特徴とする、請求項１〜３のいずれかに記載の園芸用結束機。
【請求項５】
上記結束テープを上記被結束物に掛け回したときに上記被結束物取り込み用空間部に突出するガイド部材を上記被結束物に係合させて上記被結束物を位置決めするガイド機構を設けたことを特徴とする、請求項１に記載の園芸用結束機。
【請求項６】
上記ガイド機構は、上記ガイド部材の中間部を上記結束機本体の回動軸に回動自在に設け、上記ガイド部材の一端部を上記空間部に突出して上記被結束物に係合可能とし、上記ガイド部材の他端部を上記クリンチャアームに係合させ、上記クリンチャアームの閉じ又は開き作動に連動して上記ガイド部材の一端部を上記空間部に突出又は退避作動させることを特徴とする、請求項５に記載の園芸用結束機。
【発明の詳細な説明】
【技術分野】
【０００１】
本発明は、園芸用結束機に関するものであり、特に被結束物を位置決めし、被結束物の回りに結束テープを弛みなく結束する園芸用結束機に関するものである。
【背景技術】
【０００２】
園芸用結束機は、手動式のステープラと同様の機構を備える手持ち工具であり、葡萄、胡瓜等の蔓性農作物の蔓や枝を支柱等に結束する工具である（例えば特許文献１参照）。
【０００３】
このような結束機では、テープリールとステープルマガジンを備えた結束機本体に対してクリンチャアームを開閉操作して結束作業を行う。クリンチャアームを一回閉じるとピッキングプレートのストッパ機構が解除され、ピッキングプレートがテープリールから結束機本体の先端に引き出されている結束テープに突き刺さる。そして、結束機本体とクリンチャアームとを開くと、同時に結束機本体側からテープが引き出され、結束機本体とクリンチャアームの先端間に結束テープが張架された状態になる。
【０００４】
次に、この状態で園芸用結束機を前方に押し出して結束機本体とクリンチャアームとの間の空間部に農作物の蔓等と支柱のような被結束物を取り込んで結束テープを被結束物にＵ字状に掛け回す。その後、クリンチャアームを閉じると結束テープの先端部が後続部に重なりループ状となる。
【０００５】
最後に、結束機本体とクリンチャアームとを強く閉じることにより、ステープルマガジンからステープルが打ち出されて結束テープの重なり部分がステープル留めされるとともに、カッター刃も突出して結束テープが切断される。クリンチャアームを開いて被結束物を取り出すと１サイクルの結束処理が完了する。
【０００６】
ところが、結束機本体とクリンチャアームの間の空間部に被結束物を取り込んで結束テープを掛け回す際に、空間部の奥に被結束物を押し込み過ぎると結束テープが余分に引き出されてたるんだ状態で掛け回されてしまい、被結束物と結束テープとの間に弛みが生じてしまうという問題があった。
【０００７】
そこで、余分に引き出されたテープを引き戻して結束前にテープの弛みを取り去ることにより、被結束物とテープの間の隙間をなくし、結束後に被結束物同士をずれにくくすることを可能とする機構を備えた結束機が開発されている（特許文献２参照）。
【特許文献１】特開２００３−３４１６１３号公報
【特許文献２】特開２００７−１１７０５５号公報
【発明の開示】
【発明が解決しようとする課題】
【０００８】
しかしながら、従来の弛み戻し機構では被結束物を確実に弛み戻しするのは難しく、結束テープを引き戻しても、被結束物と結束テープとの間に余分な空間が生まれて弛みが解消されない可能性がある。
【０００９】
本発明は上記問題点を解消し、結束機本体とクリンチャアームとの間の空間部内に取り込んだ被結束物に結束テープを掛け回した後に引き戻し、確実に結束テープの弛みをとった状態で結束することができる園芸用結束機を提供することをその課題とする。
【課題を解決するための手段】
【００１０】
上記課題を解決するため、請求項１に係る発明は、結束機本体のテープリール収納部に収納されたテープリールに巻き回された結束テープを引き出して上記結束機本体と上記結束機本体に対して開き作動したクリンチャアームの各先端間に張架し、上記結束機本体と上記クリンチャアームとの間に形成された被結束物取り込み用空間部に被結束物を取り込んで上記結束テープを上記被結束物に掛け回した後に上記クリンチャアームを閉じ作動させて引き戻し機構により上記結束テープの弛みを引き戻し、さらに上記結束テープの重なり合った部分をステープル留めし、上記結束テープをカッター刃により切断する園芸用結束機において、上記引き戻し機構は、上記結束機本体に設けた支軸に、上記クリンチャアームの閉じ作動に応動して結束テープを引き戻し可能なテンションアームと、上記テンションアームの回動を規制するブロックレバーとを回動自在に設け、上記テンションアームと上記ブロックレバーの各一端に上記結束テープを懸架し、上記テンションアームには、上記クリンチャアームに連結された作動アームの端部の係合軸に係合可能な係合部を形成し、上記ブロックレバーには、上記作動アームの係合軸が上記係合部に係合するのを阻止するブロック部を形成し、上記結束テープを上記被結束物に掛け回した際に引き出された結束テープの張力によって上記ブロックレバーを回動させて上記ブロック部が上記係合部の外に退避移動することにより、上記テンションアームの係合軸が上記係合部に係合し、上記クリンチャアームが閉じ作動したときに上記作動アームによって上記テンションアームを回動させることで上記結束テープを引き戻すようにしたことを特徴とする。
【００１１】
請求項２に係る発明は、請求項１において、上記テンションアームの中間部には、上記作動アームの端部の係合軸を摺動自在に案内するガイド溝を形成し、ガイド溝の一端には上記係合部を屈曲形成し、上記ブロックレバーのブロック部が、上記ガイド溝の係合部位置にあるときは上記作動アームの係合軸に係合して該係合軸が係合部に係合するのを阻止させることを特徴とする。
【００１２】
請求項３に係る発明は、請求項１又は２において、上記結束機本体には、上記テンションアームの引き戻し方向の回動と連動して、上記テープリールから上記結束テープが引き出されるのを防止するテープ引き出し防止手段が設けられていることを特徴とする。
【００１３】
請求項４に係る発明は、請求項１〜３のいずれかにおいて、上記結束機本体には、上記ブロックレバーを上記テンションアームの係合軸が上記係合部に係合するのを阻止する方向に回動するように付勢する第１の弾性部材と、上記テンションアームを上記係合軸が上記係合部に係合する方向に回動するように付勢する第２の弾性部材とが設けられ、第１の弾性部材よりも第２の弾性部材の付勢力の方を小さくしたことを特徴とする。
【００１４】
請求項５に係る発明は、請求項１において、上記結束テープを上記被結束物に掛け回したときに上記被結束物取り込み用空間部に突出するガイド部材を上記被結束物に係合させて上記被結束物を位置決めするガイド機構を設けたことを特徴とする。
【００１５】
請求項６に係る発明は、請求項５において、上記ガイド機構は、上記ガイド部材の中間部を上記結束機本体の回動軸に回動自在に設け、上記ガイド部材の一端部を上記空間部に突出して上記被結束物に係合可能とし、上記ガイド部材の他端部を上記クリンチャアームに係合させ、上記クリンチャアームの閉じ又は開き作動に連動して上記ガイド部材の一端部を上記空間部に突出又は退避作動させることを特徴とする。
【発明の効果】
【００１６】
請求項１に係る発明によれば、結束テープの引き戻し機構は、結束機本体に設けた支軸に、クリンチャアームの閉じ作動に応動して結束テープを引き戻し可能なテンションアームと、上記テンションアームの回動を規制するブロックレバーとを回動自在に設け、上記テンションアームとブロックレバーの各一端に上記結束テープを懸架し、上記テンションアームには、上記クリンチャアームに連結された作動アームの端部の係合軸に係合可能な係合部を形成し、上記ブロックレバーには、上記作動アームの係合軸が上記係合部に係合するのを阻止するブロック部を形成し、上記結束テープを上記被結束物に掛け回した際に引き出された結束テープの張力によって上記ブロックレバーを回動させて上記ブロック部が上記係合部の外に退避移動することにより、上記テンションアームの係合軸が上記係合部に係合し、上記クリンチャアームが閉じ作動したときに上記作動アームによって上記テンションアームを回動させることで上記結束テープを引き戻すようにしたから、この引き戻しにより、被結束物に掛け回された結束テープの弛みがとれて緊張する。したがって、結束テープを余分に引き出した場合であっても、被結束物に結束テープを密着させて弛みなく結束することができる。このため、結束した結束テープを結束場所へ確実に保持することができて、結束した後に結束した結束テープが位置ずれしてしまうことがなく、結束後に被結束物同士をずれにくくすることが可能となる。また、結束テープで結束を行なう際に、結束テープに弛みが生じることがないので、結束テープの使用量を最少とすることができる。
【００１７】
請求項２に係る発明によれば、テンションアームの中間部には、上記作動アームの端部の係合軸を摺動自在に案内するガイド溝を形成し、ガイド溝の一端には上記係合部を屈曲形成し、上記ブロックレバーのブロック部が、上記ガイド溝の係合部位置にあるときは上記作動アームの係合軸に係合して該係合軸が係合部に係合するのを阻止させるようにしたから、通常のクリンチャアームの閉じ作動では作動アームの係合軸はガイド溝に沿って摺動するので、テンションアームは回動しない。これに対し、クリンチャアームの閉じ作動前に、上記ブロックレバーを回動させて上記ブロック部が上記係合部の外に退避移動することにより、上記作動アームの係合軸が上記係合部に係合したときは、上記クリンチャアームが閉じ作動したときに上記作動アームによって上記テンションアームを回動させることでテンションアームの先端に懸架していた結束テープを引き戻すことができる。
【００１８】
請求項３に係る発明によれば、上記結束機本体には、上記テンションアームの引き戻し方向の回動と連動して、上記テープリールから上記結束テープが引き出されるのを防止するテープ引き出し防止手段が設けられているから、テンションアームが回動したとき、結束テープは被結束物に掛け回された分だけが引き戻されるので、結束テープの弛みを確実にとることができる。
【００１９】
請求項４に係る発明によれば、上記結束機本体には、上記ブロックレバーを上記テンションアームの係合軸が上記係合部に進入するのを阻止する方向に回動するように付勢する第１の弾性部材と、上記テンションアームを上記係合軸が上記係合部に係合する方向に回動するように付勢する第２の弾性部材とが設けられ、第１の弾性部材よりも第２の弾性部材の付勢力の方を小さくしたから、第１の弾性部材によりブロックレバーを回動させたときにのみ第２の弾性部材により作動アームの係合軸が上記係合部に係合することができる。したがって、結束テープを上記被結束物に掛け回した際に引き出された結束テープのテンションによって上記ブロックレバーを回動させたときにのみ、作動アームの係合軸を上記係合部に係合させることができる。
【００２０】
請求項５に係る発明によれば、結束機本体には、結束テープを被結束物に掛け回したときに、結束機本体とクリンチャアームとの間の被結束物取り込み用空間部に突出するガイド部材を被結束物に係合させて被結束物を位置決めするガイド機構が設けられているので、被結束物を確実に弛み戻しできる位置に位置決めして保持することができる。したがって、結束テープが余分に引き出された場合であっても、確実に弛み戻しをして被結束物にテープを密着させて結束することができ、良好な結束状態を得ることができる。
【００２１】
請求項６に係る発明によれば、上記ガイド機構により、上記クリンチャアームの閉じ又は開き作動に連動して上記ガイド部材の一端部を上記空間部に突出又は退避作動させるから、上記空間部内に被結束物を取り込んで結束テープを掛け回した後、クリンチャアームを閉じるときにガイド部に被結束物を係合させて位置決めすることができる。これにより、結束テープのみを弛みを容易に戻して被結束物にテープを密着させて結束することができる。また、空間部内に被結束物を取り込むときは、クリンチャアームが開き位置にあり、ガイド部材は退避位置にあるので、取り込み作業時に障害になることがない。さらに、クリンチャアームを一方の手で閉じ作動させると、自動的にガイド部材の上記一端部が上記空間部に突出するから、わざわざ他方の手でガイド部材を動かす必要がない。
【発明を実施するための最良の形態】
【００２２】
以下、本発明の実施の一形態を図に従って説明する。
【００２３】
図１は、本発明の一実施形態を示す園芸用結束機の側面図である。
【００２４】
この結束機は、細長の結束機本体１とクリンチャアーム２とハンドルレバー３を組み合わせたもので、結束機本体１の後部にテープリール収納部４が取り付けられており、このテープリール収納部４の内部に収納された不図示のテープリールから園芸用の結束テープＴが引き出され、結束機本体１の先端のテープガイド部５から引き出し可能になっている。
【００２５】
また、結束機本体１の前部にはマガジン６が配置されている。マガジン６はステープル収納部の先端にステープル打ち出し部７を設けたもので、その後端は結束機本体１の中間部に設けられてクリンチャアーム２の基部を支持する支持軸８に回動可能に取り付けられている。マガジン６には門形のステープルを連結した連結ステープル（図示せず）が収納されている。
【００２６】
さらに、結束機本体１の先端部には、図１１（ａ）に示されるように、マガジン６の先頭のステープルを打ち出し部７から打ち出すドライバプレート１０が設けられ、ドライバプレート１０の外側（図示左手方向）にはカッター刃１１が取り付けられ、その外側にはテープガイド部５が設けられている。さらにテープガイド部５の外側には係合板１２が形成されている。なお、図１の符号９は結束テープが戻り方向に移動する際の抵抗となる押え部材で、スポンジなどを利用すればよい。
【００２７】
クリンチャアーム２の基部は、図１に示すように、支持軸８に軸支されているとともに、基部に近い中間部には支軸１４を介してハンドルレバー３が交差するように連結されている。ハンドルレバー３は操作部３ａとリンク部３ｂとから構成され、リンク部３ｂは結束機本体１の側面に突出された固定軸１９に係合するようになっている。そして、クリンチャアーム２は常時は開き状態になるように付勢されている。
【００２８】
クリンチャアーム２の先端ヘッド部２ａには、図１１（ａ）のように、内側から外側（図示右手方向から左手方向）にかけてクリンチャ溝１５と受け板１６とピッキングプレート１７とが順に配置され、ピッキングプレート１７の側部にはスイッチ板１８が形成されている。ピッキングプレート１７は揺動して受け板１６の中央部の孔（図示せず）に差込み可能に設けられている。
【００２９】
なお、図１及び図１１（ａ）に示されるように、結束機本体１の打ち出し部７とクリンチャアーム２のクリンチャ溝１５とが、結束機本体1の係合板１２とクリンチャアーム２のスイッチ板１８とが、各々対応するように設けられている。
【００３０】
次に、結束機の基本的な結束動作について説明すると、まず結束機本体１に対してハンドルレバー３の操作部３ａを握り締めることにより、クリンチャアーム２が閉じ作動し、図１１（ｂ）のように、その先端のスイッチ板１８が結束機本体１の先端部の係合板１２に当接して停止するが、少し力を加えると、図１１（ｃ）に示されるようにスイッチ板１８が係合板１２に押圧されて沈み込むとともにピッキングプレート１７が揺動して受け板１６の手前に垂れ下がった結束テープＴの先端を突き抜けて受け板１６の孔に差し込まれて結束テープＴの端部を掴む。この状態でハンドルレバー３を開放すると、クリンチャアーム２が開き、図４に示されるように、結束テープＴはテープガイド部５から引き出されて結束機本体１とクリンチャアーム２との間の開口部に張架される。図５に示すように、被結束物Ｐ（一例としては農作物の蔓と支柱）を結束テープＴの外側（図示左手側）から取り込んで結束機本体１とクリンチャアーム２との間の空間部Ｓに導入し、再びハンドルレバー３を握り締めてクリンチャアーム２を閉じ作動させると、図６に示すように、結束テープＴは被結束物Ｐのまわりに掛け回されてクリンチャ溝１５の上で重なるとともに、図１１（ｄ）のように、先の閉じ作動で沈み込んだスイッチ板１８は結束機本体１の係合板１２に押圧されてさらに沈み込み、これに連動してピッキングプレート１７は結束テープＴから離反して元の位置に戻ると同時に、マガジン６は押し上げられて回動するので、相対的にドライバプレート１０とカッター刃１１が突出してドライバプレート１０はステープルを打ち出して結束テープＴの重なり部分を綴じると同時に、カッター刃１１が結束テープＴの綴じ部分の元側を切断する。さらに図１のようにハンドルレバー３を開放してクリンチャアーム２を開き作動させて結束テープＴにより結束された被結束物Ｐを外すことにより、結束作業が終了するとともに、次の結束作業が準備される。
【００３１】
次に、上記結束機には、結束テープTを被結束物Ｐに掛け回した後に結束テープＴを引き出し方向と逆方向へ引き戻して結束テープＴの弛みをとる引き戻し機構Ａが設けられている。
【００３２】
すなわち、結束テープの引き戻し機構Ａは、図１に示されるように、結束機本体１に設けた支軸２０に回動自在に設けられたテンションアーム２１と、ブロックレバー２２と作動アーム２３とから構成されている。
【００３３】
結束機本体１には、図１及び図７（ａ）（ｂ）に示されるように、クリンチャアーム２とハンドルレバー３が配置された側と反対側にベース部材２４が固定され、このベース部材２４に上記支軸２０が設けられている。
【００３４】
テンションアーム２１は、クリンチャアーム２の閉じ作動に連動して結束テープＴを引き戻し可能とする主要部材で、基部が上記支軸２０に回動自在に支持されている。テンションアーム２１は、通常時は先端が結束機本体１の先端部側に向いているが、回動時には支軸２０を中心に回動して図の上方に立ち上がるようになっている。
【００３５】
テンションアーム２１の先端には結束テープＴを懸架させるローラ２５が固定されている。このローラ２５は結束テープＴとの摩擦を大きくする材料によって構成するのが好ましい。テンションアーム２１の中間部には扇形のガイド溝２６が形成されている。ガイド溝２６のテンションアーム２１側の端部は直角に屈曲して係合部２７が形成されている。
【００３６】
また、テンションアーム２１の基部には、テープ引出し防止手段として、金属製のテープ押え２８が取付けられている。テープ押え２８の中間は支軸２０に巻き回され、その一端はテンションアーム２１の底板３０に係合し、他方の端部３１は鈎形に屈曲している。したがって、テンションアーム２１が回動すると、テープ押え２８も回動する。回動時には上記屈曲部３１が基部側のテープガイド部１３の先端の溝部３２に入りこんで結束テープＴを押え、これによってテープリールから結束テープＴが引き出されるのを防止するように構成されている。なお、結束テープＴの引き出しを完全に抑止すると、結束テープＴに無理な負荷がかかった場合に対応できないので、テープ押え２８はクッションを介して結束テープＴに当たるようにするのが好ましい。
【００３７】
テンションアーム２１の先端側の下部には磁石３３が固定され、これにより、結束機を上下逆にしてもテンションアーム２１は結束機本体１に磁着されている。
【００３８】
ブロックレバー２２は、図1及び図9（ａ）（ｂ）に示されるように、側面視において三角形状の部材で、中間部は上記支軸２０に軸着され、テープリール側の端部には結束テープＴを懸架するためのローラ３４が設けられている。これに対し、反対側の端部は通常時はテンションアーム２１のガイド溝２６の端部及び係合部２７と重なり合う位置にあり、ガイド溝２６の端部と対応する位置には受け溝３５が形成され、係合部２７ト対応する位置には、三角形状の突片（ブロック部）３６が形成されている。受け溝３５はガイド溝２６と整合しているが、詳しくは図２に示されるように、突片３６は係合部２７内に進入するように構成されている。
【００３９】
図１０はベース部材２４とテンションアーム２１とブロックレバー２２とを取付けた状態を示す結束機本体の要部の正面図である。
【００４０】
次に、作動アーム２３の一端はクリンチャアーム２とハンドルレバー３とを連結する支軸２０に回動自在に連結されている。また、他端には係合軸３７が設けられ、該係合軸３７はテンションアーム２１のガイド溝２６に係合している。これにより、ハンドルレバー３の操作によりクリンチャアーム２が開閉作動するときは、上記係合軸３７はガイド溝２６に沿って摺動する。
【００４１】
ところで、上記ブロックレバー２２の支軸２０には第１のねじりコイルバネ（第１の弾性部材）３８が巻きつけられ、ブロックレバー２２は第１のねじりコイルバネ３８により、常時突片３６がガイド溝２６の係合部２７に進入して作動アーム２３の係合軸３７が上記係合部２７に進入して係合するのを阻止するように付勢されている。
【００４２】
同様に、上記テンションアーム２１とクリンチャアーム２とを連結する支軸２０にも第２のねじりコイルバネ（第２の弾性部材）３９が巻きつけられ、係合軸３７がガイド溝２６の下端にあるときは、テンションアーム２１は第２のねじりコイルバネ３９により、常時係合軸３７が係合部２７に進入するように付勢されている。
【００４３】
ところで、テープリールの導出口に設けられたテープガイド部１３の先端はブロックレバー２２の後端部に近接して配置されている。テープリールから導出された結束テープＴは、テープガイド部５の先端開口部からブロックレバー２２の端部のローラ３４とテンションアーム２１の端部のローラ２５とに懸架され、さらに結束機本体１の先端の係合板１２に案内されている。
【００４４】
なお、第１のねじりコイルバネ３８よりも第２のねじりコイルバネ３９の付勢力の方が小さくなるように設定されている。
【００４５】
次に、上記構成の結束テープＴの引き戻し機構Ａの作動態様について説明する。まず、図３に示すように、ハンドルレバー３を握り込み操作することでクリンチャアーム２を閉じ作動させると、これに応動する作動アーム２３の端部の係合軸３７はテンションアーム２１のガイド溝２６に沿って摺動するので、テンションアーム２１は回動せず、初期位置に保持されている。クリンチャアーム２を閉じ作動させると、ピッキングプレート１７が揺動して受け板１６の手前に垂れ下がった結束テープＴの先端を突き抜けて受け板１６の孔に差し込まれて結束テープＴの端部を掴む。この状態でハンドルレバー３を開放すると、クリンチャアーム２が開き、図４に示されるように、結束テープＴはテープガイド部５から引き出されて結束機本体１とクリンチャアーム２との間の開口部に張架される。このとき、作動アーム２３の係合軸３７もガイド溝２６の下端に摺動する。なお、ブロックレバー２２の先端の突片３６は図２に示したようにテンションアーム２１の係合部２７に進入しているから、作動アーム２３の係合軸３７は上記係合部２７に進入することができない。
【００４６】
次に、図５に示すように、被結束物Ｐ（一例としては農作物の蔓と支柱）を結束テープＴの外側（図示左手側）から取り込んで結束機本体１とクリンチャアーム２との間の空間部Ｓに導入すると、結束機本体１の先端とクリンチャアーム２との間に張架された結束テープＴはテープリールから引き出される。このとき、ブロックレバー２２の端部のローラ３４は結束機本体１の先端側に引き出されるので、ブロックレバー２２は第１のねじりコイルバネ３８のバネ力に抗して図の反時計方向に回動する。ブロックレバー２２が反時計方向に回動すると、その端部の突片３６が係合部２７から退避する。作動アーム２３はガイド溝２６の端部の初期位置にあるから、ブロックレバー２２によるブロックが解除されると、第２のねじりコイルバネ３９のバネ力によって回動し、係合軸３７は係合部２７に進入する。この状態で再び図６のようにハンドルレバー３を握り締めてクリンチャアーム２を閉じ作動させると、これに応動する作動アーム２３の端部の係合軸３７はテンションアーム２１の係合部２７に係合しているので、作動アーム２３が図の上方に移動し、テンションアーム２１の係合部２７を上方に突き上げるので、テンションアーム２１は支軸２０を中心に時計方向に回動する。これにより、テンションアーム２１の先端に懸架していた結束テープＴは引き戻される。
【００４７】
なお、テンションアーム２１が図の時計方向に回動すると、テンションアーム２１のテープ押え２８も回動するから、その先端はテープガイド部１３の先端の溝部３２内に入りこむから、結束テープＴは溝部内でテープ押え２８により押えられて動くことができない。このため、結束テープＴは引き戻し方向にのみ移動する。
【００４８】
そして、クリンチャアーム２が閉じたとき、図１１（ｄ）に示したように結束テープＴは被結束物のまわりに掛け回されてクリンチャ溝の上で重なるとともに、ドライバプレート１０とカッター刃１１が突出してドライバプレート１０はステープルを打ち出して結束テープＴの重なり部分を綴じると同時に、カッター刃１１が結束テープＴの綴じ部分の元側を切断する。さらに図１のようにハンドルレバー３を開放してクリンチャアーム２を開き作動させて結束テープＴにより結束された被結束物Ｐを外すことにより、結束作業が終了するとともに、次の結束作業が準備される。
【００４９】
上述のように、上記結束テープＴの引き戻し機構によれば、常に確実に結束時に結束テープＴを引き戻して被結束物に巻き掛けた結束テープＴの弛みをなくすることができる。
【００５０】
また、上記引き戻し機構は通常の結束動作を行うことによって駆動することができるので、片手で操作することができ、取り扱いが楽である。
【００５１】
次に、上記結束機には、図１２〜図１４に示されるように、結束機本体１の先端とクリンチャアーム２との間に張架された結束テープＴを被結束物Ｐに掛け回す際に空間部Ｓにガイド部材４０を突出させ、被結束物Ｐに係合させて位置決めするガイド機構が設けられている。
【００５２】
すなわち、ガイド機構は、図１２に示されるように、空間部Ｓに対して出没可能に設けられたガイド部材４０と、ガイド部材４０を出没方向に作動させるクリンチャアーム２とによって構成されている。ガイド部材４０の中間部は結束機本体１の固定軸１９に回動自在に支持され、その結束機本体1の先端側に位置する端部にはＬ字形のガイド部４１が形成される。ガイド部材４０の固定軸１９に支持されている部位からハンドルレバー３の把持部側へと延設されている部分は、折り曲げ形成され、ハンドルレバー３の把持部側に位置する端部には長孔４２が形成されている。そして、ガイド部材４０の長孔４２にはクリンチャアーム２とハンドルレバー３とを回動自在に連結する支軸１４が摺動自在に係合している。
【００５３】
上記構成によれば、クリンチャアーム２が図１に示した場合と同様に、支持軸８を中心にして回動して開き状態になっているときは、ガイド部材４０のガイド部４１は、結束機本体１とクリンチャアーム２との間に形成される空間部Ｓから退避している。そして、図３に示した場合と同様に、ハンドルレバー３を握り締めてクリンチャアーム２を閉じ作動させてクリンチャアーム２の先端に結束テープＴの先端を掴ませた後に、ハンドルレバー３を開放してクリンチャアーム２を開き作動させると、図１２に示されるように、結束テープＴは結束機本体１とクリンチャアーム２の先端部間に張架される。このようにクリンチャアーム２が閉じ、開き作動すると、これに連動して支軸１４がガイド部材４０の長孔４２に沿って摺動しながら上下方向に作動するので、ガイド部材４０も固定軸１９を中心に揺動し、ガイド部４１が空間部Ｓに突出、退避作動する。
【００５４】
そこで、図１３に示されるように、クリンチャアーム２を開き作動させ、被結束物Ｐを結束テープＴの外側から内側に取り込んで結束機本体１とクリンチャアーム２との間の空間部Ｓに導入し、再び図１４に示すように、結束機本体１とハンドルレバー３とを握り締めてクリンチャアーム２を閉じ作動させる。このとき、マガジン６とクリンチャアーム２の先端とが当接し、被結束物Ｐのまわりに掛け回された結束テープＴの先端側と元側とはクリンチャ溝１５の上で重なり合うが、その直前にまず、ガイド部材４０が空間部Ｓに突出し、被結束物Ｐをガイド部材４０の先端部のガイド部４１に係合させて所定の位置に位置決め保持する。そして、上述の結束テープＴの引き戻し機構により結束テープＴが引き戻され、被結束物Ｐに掛け回した際に生じた弛みを引き戻す。このように、被結束物Ｐをガイド部材４１に保持した状態にすることにより、結束テープＴの引き戻し機構により確実に結束テープＴを引き戻してその弛みをなくすることができる。
【００５５】
なお、空間部Ｓ内に被結束物Ｐを取り込むときは、ガイド部材４０は空間部Ｓから退避した退避位置にあるので、取り込み作業時に障害になることがない。
【００５６】
また、クリンチャアーム２を一方の手で閉じ作動させると、自動的にガイド部材４０のガイド部４１が上記空間部Ｓに突出するから、わざわざ他方の手でガイド部材４０を動かす必要がない。
【図面の簡単な説明】
【００５７】
【図１】本発明に係る園芸用結束機の初期の開き状態の側面図
【図２】上記園芸用結束機の要部の拡大図
【図３】上記結束機の閉じ状態の側面図
【図４】上記結束機の開き状態の側面図
【図５】上記結束機の被結束物の取り込み状態の側面図
【図６】上記結束機の結束状態の側面図
【図７】（ａ）（ｂ）はベース部材の側面図及び正面図
【図８】（ａ）（ｂ）はテンションアームの側面図及び正面図
【図９】（ａ）（ｂ）はブロックアームの側面図及び正面図
【図１０】ベース部材とテンションアームとブロックアームとを取付けた状態を示す結束機本体の要部の正面図
【図１１】（ａ）〜（ｄ）は上記結束機による基本的な動作態様説明図
【図１２】上記園芸用結束機の前部に設けられたガイド機構の側面図
【図１３】クリンチャアームを開いて被結束物を取り込んだ状態の側面図
【図１４】クリンチャアームを閉じたときの上記ガイド機構の作動態様を示す側面図
【符号の説明】
【００５８】
Ｔ      結束テープ
１      結束機本体
２      クリンチャアーム
３      ハンドルレバー
２０    支軸
２１    テンションアーム
２２    ブロックレバー
２３    作動アーム
２６    ガイド溝
３７    係合軸
４０  ガイド部材
４１  ガイド部
【図１】
2010051248.tif 000003
【図２】
2010051248.tif 000004
【図３】
2010051248.tif 000005
【図４】
2010051248.tif 000006
【図５】
2010051248.tif 000007
【図６】
2010051248.tif 000008
【図７】
2010051248.tif 000009
【図８】
2010051248.tif 000010
【図９】
2010051248.tif 000011
【図１０】
2010051248.tif 000012
【図１１】
2010051248.tif 000013
【図１２】
2010051248.tif 000014
【図１３】
2010051248.tif 000015
【図１４】
2010051248.tif 000016